(57)【要約】    【課題】  明るく、広画角でありながら画面全域で高画質の画像を得るのが容易な結像光学系を得ること。    【解決手段】  負の屈折力の第１レンズＧ１、負の屈折力のレンズＬ１Ａと負の屈折力のレンズＬ１Ｂよりなるレンズ群ＬＮ１、複数のレンズよりなるレンズ群ＬＰ１ａ、開口絞り、複数のレンズ群よりなるレンズ群ＬＰ１ｂ、負の屈折力のレンズＬ２ＡとレンズＬ２Ｂよりなるレンズ群ＬＮ２、を有する結像光学系であって、レンズ群ＬＰ１ａとレンズ群ＬＰ１ｂの合成のレンズ群ＬＰ１は正の屈折力であり、レンズＬ１ＡとレンズＬ１Ｂとで両凸形状の空気レンズＫ１を構成し、レンズＬ２ＡとレンズＬ２Ｂとで負の屈折力の空気レンズＫ２を構成し、無限遠物体に合焦しているときの、レンズＬ１Ｂの像側のレンズ面から開口絞りまでの距離Ｄ１、開口絞りからレンズＬ２Ａの物体側のレンズ面までの距離Ｄ２、開口絞りから結像面までの距離ＤＫを各々適切に設定する。【選択図】    図１
2019197095.tif 000002
【特許請求の範囲】
【請求項１】
物体側から像側へ順に配置された、負の屈折力の第１レンズＧ１、負の屈折力のレンズＬ１Ａと負の屈折力のレンズＬ１Ｂよりなるレンズ群ＬＮ１、複数のレンズよりなるレンズ群ＬＰ１ａ、開口絞り、複数のレンズ群よりなるレンズ群ＬＰ１ｂ、負の屈折力のレンズＬ２ＡとレンズＬ２Ｂよりなるレンズ群ＬＮ２、を有する結像光学系であって、
前記レンズ群ＬＰ１ａと前記レンズ群ＬＰ１ｂの合成のレンズ群ＬＰ１は正の屈折力であり、前記レンズＬ１Ａと前記レンズＬ１Ｂとで両凸形状の空気レンズＫ１を構成し、前記レンズＬ２Ａと前記レンズＬ２Ｂとで負の屈折力の空気レンズＫ２を構成し、
無限遠物体に合焦しているときの、前記レンズＬ１Ｂの像側のレンズ面から前記開口絞りまでの距離をＤ１、前記開口絞りから前記レンズＬ２Ａの物体側のレンズ面までの距離をＤ２、前記開口絞りから結像面までの距離をＤＫとするとき、
０．３０＜Ｄ１／ＤＫ＜０．７０
０．３５＜Ｄ２／ＤＫ＜０．７５
なる条件式を満たすことを特徴とする結像光学系。
【請求項２】
前記レンズＬ２Ｂの、物体側のレンズ面は、負の屈折力を強める非球面形状または正の屈折力を弱める非球面形状であることを特徴とする請求項１に記載の結像光学系。
【請求項３】
前記レンズＬ１Ａの、物体側のレンズ面は負の屈折力を弱める非球面形状であることを特徴とする請求項１または２に記載の結像光学系。
【請求項４】
前記レンズＬ１Ｂは、非球面形状のレンズ面を有することを特徴とする請求項１乃至３のいずれか１項に記載の結像光学系。
【請求項５】
前記レンズＬ２Ａは非球面形状のレンズ面を有することを特徴とする請求項１乃至４のいずれか１項に記載の結像光学系。
【請求項６】
前記レンズＬ２Ｂの、像側のレンズ面は負の屈折力を弱める非球面形状または正の屈折力を強める非球面形状であることを特徴とする請求項１乃至５のいずれか１項に記載の結像光学系。
【請求項７】
前記結像光学系の焦点距離をｆ、前記空気レンズＫ１の焦点距離をｆＫ１とするとき、
−１．２０＜ｆ／ｆＫ１＜−０．２８
なる条件式を満たすことを特徴とする請求項１乃至６のいずれか１項に記載の結像光学系。
【請求項８】
前記結像光学系の焦点距離をｆ、該空気レンズＫ２の焦点距離をｆＫ２とするとき、
−０．６０＜ｆ／ｆＫ２＜−０．１５
なる条件式を満たすことを特徴とする請求項１乃至７のいずれか１項に記載の結像光学系。
【請求項９】
前記結像光学系のレンズ全長をＤＴ、前記結像光学系に含まれるレンズ間隔のうち最大のレンズ間隔をｄｍａｘとするとき、
０．０４＜ｄｍａｘ／ＤＴ＜０．２５
なる条件式を満たすことを特徴とする請求項１乃至８のいずれか１項に記載の結像光学系。
【請求項１０】
前記結像光学系のレンズ全長をＤＴ、前記結像光学系のバックフォーカスをＢＫとするとき、
０．０２０＜ＢＫ／ＤＴ＜０．１７０
なる条件式を満たすことを特徴とする請求項１乃至９のいずれか１項に記載の結像光学系。
【請求項１１】
前記結像光学系の焦点距離をｆ、前記結像光学系のレンズ全長をＤＴ、前記結像光学系のＦナンバーをＦｎｏとするとき、
０．０８＜ｆ／ＤＴ×Ｆｎｏ＜０．３０
なる条件式を満たすことを特徴とする請求項１乃至１０のいずれか１項に記載の結像光学系。
【請求項１２】
前記結像光学系は、
０．６５＜Ｄ１／Ｄ２＜１．２０
なる条件式を満たすことを特徴とする請求項１乃至１１のいずれか１項に記載の結像光学系。
【請求項１３】
前記レンズＬ１Ａの像側のレンズ面の近軸曲率半径をＲ１Ａ、前記レンズＬ１Ｂの物体側のレンズ面の近軸曲率半径をＲ１Ｂとするとき、
０．０２０＜１／Ｒ１Ａ−１／Ｒ１Ｂ＜０．１１０
なる条件式を満たすことを特徴とする請求項１乃至１２のいずれか１項に記載の結像光学系。
【請求項１４】
前記レンズＬ２Ａの像側のレンズ面の近軸曲率半径をＲ２Ａ、前記レンズＬ２Ｂの物体側のレンズ面の近軸曲率半径をＲ２Ｂとするとき、
０．０１０＜１／Ｒ２Ａ−１／Ｒ２Ｂ＜０．０６５
なる条件式を満たすことを特徴とする請求項１乃至１３のいずれか１項に記載の結像光学系。
【請求項１５】
前記レンズＬ１Ａの物体側のレンズ面から前記レンズＬ１Ｂの像側のレンズ面までの距離をＤ１ｔ、前記レンズＬ１Ａの像側のレンズ面から前記レンズＬ１Ｂの物体側のレンズ面までの距離をＤ１ｄとするとき、
０．５０＜Ｄ１ｄ／Ｄ１ｔ＜０．９０
なる条件式を満たすことを特徴とする請求項１乃至１４のいずれか１項に記載の結像光学系。
【請求項１６】
前記レンズＬ２Ａの物体側のレンズ面から前記レンズＬ２Ｂの像側のレンズ面までの距離をＤ２ｔ、前記レンズＬ２Ａの像側のレンズ面から前記レンズＬ２Ｂの物体側のレンズ面までの距離をＤ２ｄとするとき、
０．３０＜Ｄ２ｄ／Ｄ２ｔ＜０．８０
なる条件式を満たすことを特徴とする請求項１乃至１５のいずれか１項に記載の結像光学系。
【請求項１７】
前記結像光学系の焦点距離をｆ、前記結像光学系のレンズ全長をＤＴとするとき、
０．０８＜ｆ／ＤＴ＜０．２４
なる条件式を満たすことを特徴とする請求項１乃至１６のいずれか１項に記載の結像光学系。
【請求項１８】
フォーカシングに際して前記開口絞りよりも像側に配置された少なくとも一部のレンズが移動することを特徴とする請求項１乃至１７のいずれか１項に記載の結像光学系。
【請求項１９】
フォーカシングに際して前記レンズ群ＬＰ１ａの一部のレンズ部ＬＦ１と前記レンズ群ＬＰ１ｂと前記レンズ群ＬＮ２が移動することを特徴とする請求項１乃至１８のいずれか１項に記載の結像光学系。
【請求項２０】
無限遠から近距離へのフォーカシングに際して、前記レンズ部ＬＦ１は物体側へ移動するとともに、前記レンズ群ＬＰ１ｂと前記レンズ群ＬＮ２は一体的に物体側へ前記レンズ部ＬＦ１とは異なった速度で移動することを特徴とする請求項１９に記載の結像光学系。
【請求項２１】
前記レンズＬ２Ｂの像側に正の屈折力のレンズを有することを特徴とする請求項１乃至２０のいずれか１項に記載の結像光学系。
【請求項２２】
請求項１乃至２１のいずれか１項に記載の結像光学系と、該結像光学系を介して形成された光学像を受光する撮像素子と、を有することを特徴とする撮像装置。
【発明の詳細な説明】
【技術分野】
【０００１】
本発明は、結像光学系及びそれを有する撮像装置に関し、例えばデジタルスチルカメラ、デジタルビデオカメラ、監視用カメラ、ＴＶカメラ等の撮像装置に用いられる撮像光学系として好適なものである。
【背景技術】
【０００２】
近年、撮像装置に用いられる結像光学系は全系が小型で明るく（Ｆナンバーが小さく）広範囲の撮影が容易な広画角であることが要求されている。
【０００３】
従来、これらの要求を満足する結像光学系として、物体側から像側へ順に配置された、負の屈折力の前群、開口絞り、正の屈折力の後群からなる結像光学系が知られている（特許文献１）。特許文献１ではＦナンバー１．４７、撮像前画角８５度程度の結像光学系が開示されている。
【先行技術文献】
【特許文献】
【０００４】
【特許文献１】特開２０１６−１２０３４号公報
【発明の概要】
【発明が解決しようとする課題】
【０００５】
広画角の結像光学系の多くは、開口絞りに対して物体側に負の屈折力の前群を配置し、像側に正の屈折力の後群が配置されている。開口絞りを挟んで非対称な屈折力配置となるため、コマ収差、サジタルフレア―の諸収差の発生が多くなる傾向がある。特に、広画角を図りつつ、大口径比化を図ると諸収差の発生が増大し、画面全体にわたり高い光学性能を得るのが困難となる。
【０００６】
明るく（大口径比）、しかも広画角で、画面全体にわたり高い光学性能を得るには、結像光学系中の開口絞りの前後のレンズ系のレンズ構成を適切に設定することが重要になってくる。これらの設定が適切でないと、明るく広画角で高い光学性能の結像光学系を得るのが困難になってくる。
【０００７】
本発明は、明るく、広画角でありながら画面全域で高画質の画像を得るのが容易な結像光学系の提供を目的とする。
【課題を解決するための手段】
【０００８】
本発明の結像光学系は、物体側から像側へ順に配置された、負の屈折力の第１レンズＧ１、負の屈折力のレンズＬ１Ａと負の屈折力のレンズＬ１Ｂよりなるレンズ群ＬＮ１、複数のレンズよりなるレンズ群ＬＰ１ａ、開口絞り、複数のレンズ群よりなるレンズ群ＬＰ１ｂ、負の屈折力のレンズＬ２ＡとレンズＬ２Ｂよりなるレンズ群ＬＮ２、を有する結像光学系であって、
前記レンズ群ＬＰ１ａと前記レンズ群ＬＰ１ｂの合成のレンズ群ＬＰ１は正の屈折力であり、前記レンズＬ１Ａと前記レンズＬ１Ｂとで両凸形状の空気レンズＫ１を構成し、前記レンズＬ２Ａと前記レンズＬ２Ｂとで負の屈折力の空気レンズＫ２を構成し、
無限遠物体に合焦しているときの、前記レンズＬ１Ｂの像側のレンズ面から前記開口絞りまでの距離をＤ１、前記開口絞りから前記レンズＬ２Ａの物体側のレンズ面までの距離をＤ２、前記開口絞りから結像面までの距離をＤＫとするとき、
０．３０＜Ｄ１／ＤＫ＜０．７０
０．３５＜Ｄ２／ＤＫ＜０．７５
なる条件式を満たすことを特徴としている。
【発明の効果】
【０００９】
本発明によれば、明るく、広画角でありながら画面全域で高画質の画像を得るのが容易な結像光学系が得られる。
【図面の簡単な説明】
【００１０】
【図１】実施例１における結像光学系の断面図である。
【図２】（Ａ）、（Ｂ）  実施例１における結像光学系の無限合焦時と物体距離−０．２５ｍに合焦時の縦収差図である。
【図３】（Ａ）、（Ｂ）  実施例１における結像光学系の無限合焦時、物体距離−０．２５ｍに合焦時の横収差図である。
【図４】実施例２における結像光学系の断面図である。
【図５】（Ａ）、（Ｂ）  実施例２における結像光学系の無限合焦時と物体距離−０．２５ｍに合焦時の縦収差図である。
【図６】（Ａ）、（Ｂ）  実施例２における結像光学系の無限合焦時、物体距離−０．２５ｍに合焦時の横収差図である。
【図７】実施例３における結像光学系の断面図である。
【図８】（Ａ）、（Ｂ）  実施例３における結像光学系の無限合焦時と物体距離−０．２５ｍに合焦時の縦収差図である。
【図９】（Ａ）、（Ｂ）  実施例３における結像光学系の無限合焦時、物体距離−０．２５ｍに合焦時の横収差図である。
【図１０】実施例４における結像光学系の断面図である。
【図１１】（Ａ）、（Ｂ）  実施例４における結像光学系の無限合焦時と物体距離−０．４０ｍに合焦時の縦収差図である。
【図１２】（Ａ）、（Ｂ）  実施例４における結像光学系の無限合焦時、物体距離−０．４０ｍに合焦時の横収差図である。
【図１３】本発明の撮像装置の要部概略図である。
【発明を実施するための形態】
【００１１】
以下に、本発明の好ましい実施の形態を、添付の図面に基づいて説明する。
【００１２】
本発明の結像光学系は、物体側から像側へ順に配置された、負の屈折力の第１レンズＧ１、負の屈折力のレンズＬ１Ａと負の屈折力のレンズＬ１Ｂよりなるレンズ群ＬＮ１を有する。更に複数のレンズよりなるレンズ群ＬＰ１ａ、開口絞り、複数のレンズ群よりなるレンズ群ＬＰ１ｂ、負の屈折力のレンズＬ２ＡとレンズＬ２Ｂよりなるレンズ群ＬＮ２、を有する。
【００１３】
ここで、レンズ群ＬＰ１ａとレンズ群ＬＰ１ｂの合成のレンズ群ＬＰ１は正の屈折力であり、レンズＬ１ＡとレンズＬ１Ｂとで両凸形状の空気レンズＫ１を構成し、レンズＬ２ＡとレンズＬ２Ｂとで負の屈折力の空気レンズＫ２を構成している。
【００１４】
図１は実施例１の結像光学系のレンズ断面図である。実施例１は、焦点距離１８．５１ｍｍ程度、開口比（Ｆナンバー）１．２４程度、撮像半画角４９．４５度程度の結像光学系である。
【００１５】
図２（Ａ）、（Ｂ）は本発明の実施例１における無限合焦時と物体距離−０．２５ｍ（像面から物体側に測った距離の符号を負としている。以下同じ）に合焦時の縦収差図である。図３（Ａ）、（Ｂ）は本発明の実施例１における無限合焦時、物体距離−０．２５ｍに合焦時の横収差図である。
【００１６】
図４は実施例２の結像光学系のレンズ断面図である。実施例２は、焦点距離２４．５９ｍｍ程度、開口比１．２４程度、結像半画角４１．３５度程度の結像光学系である。図５（Ａ）、（Ｂ）は本発明の実施例２における無限合焦時と物体距離−０．２５ｍに合焦時の縦収差図である。図６（Ａ）、（Ｂ）は本発明の実施例２における無限合焦時と物体距離−０．２５ｍに合焦時の横収差図である。
【００１７】
図７は実施例３の結像光学系のレンズ断面図である。実施例３の光学系は、焦点距離１６．４２ｍｍ程度、開口比１．４３程度、撮像半画角５２．８０度程度の結像光学系である。
【００１８】
図８（Ａ）、（Ｂ）は本発明の実施例３における無限合焦時と、物体距離−０．２５ｍに合焦時の縦収差図である。図９（Ａ）、（Ｂ）は本発明の実施例３における無限合焦時と−０．２５ｍ合焦時の横収差図である。
【００１９】
図１０は実施例４の結像光学系のレンズ断面図である。実施例４は、焦点距離１８．５０ｍｍ程度、開口比１．０３程度、撮像半画角４９．４７度程度の結像光学系である。
【００２０】
図１１（Ａ）、（Ｂ）は本発明の実施例４における無限合焦時と物体距離−０．４０ｍに合焦時の縦収差図である。図１２（Ａ）、（Ｂ）は本発明の実施例４における無限合焦時と物体距離−０．４０ｍに合焦時の横収差図である。
【００２１】
図１３は本発明の撮像装置の要部概略図である。
【００２２】
レンズ断面図において、Ｌ０は結像光学系である。Ｇ１は負の屈折力の第１レンズ、ＬＮ１は隣接した２枚の負レンズからなるレンズ群である。ＬＰ１は開口絞りＳＴＯを含む正の屈折力のレンズ群である。ＬＮ２は隣接した２枚のレンズからなるレンズ群である。ＳＴＯは開放Ｆナンバー（Ｆｎｏ）光束を決定（制限）する開口絞りの作用をするＦナンバー決定部材（開口絞り）である。
【００２３】
レンズ群ＬＮ１は負の屈折力のレンズＬ１Ａと、負の屈折力のレンズＬ１Ｂを有する。レンズＬ１ＡとレンズＬ１Ｂの間の空気間隔により両凸形状の空気レンズＫ１が形成されている。レンズ群ＬＰ１は物体側から像側へ順に配置された複数のレンズよりなるレンズ群ＬＰ１ａ、開口絞りＳＴＯ、複数のレンズよりなるレンズ群ＬＰ１ｂより構成されている。レンズ群ＬＮ２は負の屈折力のレンズＬ２Ａと、レンズＬ２Ｂを有する。レンズＬ２ＡとレンズＬ２Ｂの間の空気間隔により負の屈折力の空気レンズＫ２が形成されている。
【００２４】
ＩＭは結像面であり、ビデオカメラやデジタルスチルカメラの結像光学系として使用する際にはＣＣＤセンサやＣＭＯＳセンサなどの撮像素子（光電変換素子）の撮像面が置かれる。ＯＡは光軸を示している。ＬＦ１はレンズ群ＬＰ１ａの一部よりなるレンズ群であり、第１フォーカスレンズ群を構成している。ＬＦ２はレンズ群ＬＰ１ｂとレンズ群ＬＮ２よりなるレンズ群であり、第２フォーカスレンズ群を構成している。
【００２５】
各実施例ではフォーカシングに際して第１フォーカスレンズ群ＬＦ１と第２フォーカスレンズ群ＬＦ２を独立して駆動させる所謂フローティングフォーカスを用いている。
【００２６】
縦収差図において、球面収差における実線はｄ線（波長５８７．５６ｎｍ）、二点鎖線はｇ線（波長４３５．８ｎｍ）を、非点収差において破線のＭはメリディオナル像面、実線のＳはサジタル像面を、倍率色収差はｇ線によって表している。
また、横収差図は、各像高の収差を示しており、上から順に１０割、９割、７割、４割、中心、の像高におけるｄ線の収差図を示している。破線はサジタル像面、実線はメリディオナル像面を表す。
【００２７】
各実施例の結像光学系Ｌ０は、物体側から像側へ順に配置された、負の屈折力の第１レンズＧ１、負の屈折力のレンズＬ１Ａと負の屈折力のレンズＬ１Ｂからなるレンズ群ＬＮ１、複数のレンズよりなるレンズ群ＬＰ１ａ、開口絞りを有している。更に、複数のレンズよりなるレンズ群ＬＰ１ｂ、負の屈折力のレンズＬ２ＡとレンズＬ２Ｂからなるレンズ群ＬＮ２を有している。
【００２８】
このようなレンズ構成とすることにより、広画角化を図りつつ、結像光学系Ｌ０の小型化を図っている。また、レンズ群ＬＮ１は物体側から像側へ順に配置された、負の屈折力のレンズＬ１Ａ、負の屈折力のレンズＬ１Ｂ、からなる。このような構成とすることにより、特にサジタルフレアやコマ収差の補正を良好に行っている。また、レンズ群ＬＮ２は物体側から像側へ順に配置された、負の屈折力のレンズＬ２Ａ、レンズＬ２Ｂ、からなる。このような構成とすることにより、特にサジタルフレアやコマ収差の補正を良好に行っている。
【００２９】
また、各実施例の結像光学系Ｌ０は、無限遠物体に合焦しているときの、レンズＬ１Ｂの像側のレンズ面から開口絞りＳＴＯまでの距離をＤ１、開口絞りＳＴＯからレンズＬ２Ａの物体側のレンズ面までの距離をＤ２とする。開口絞りＳＴＯから結像光学系Ｌ０の結像面（像面）ＩＭまでの距離をＤＫとする。このとき、
０．３０＜Ｄ１／ＤＫ＜０．７０      …（１）
０．３５＜Ｄ２／ＤＫ＜０．７５      …（２）
なる条件式を満たしている。
【００３０】
次に前述の各条件式の技術的意味について説明する。条件式（１）の上限値を超えて距離Ｄ１の値が大きくなり過ぎると、サジタルフレアやコマ収差の補正が過剰となるため好ましくない。条件式（１）の下限値を超えて距離Ｄ１の値が小さくなり過ぎ、特にサジタルフレアやコマ収差の補正が不足するため好ましくない。
【００３１】
条件式（２）の上限値を超えて距離Ｄ２の値が大きくなり過ぎると、特にサジタルフレアやコマ収差の補正が過剰となるため好ましくない。条件式（２）の下限値を超えて距離Ｄ２の値が小さくなり過ぎると、サジタルフレアやコマ収差の補正が不足するため好ましくない。なお、各実施例において、より好ましくは、条件式（１）、（２）の数値範囲を次のように設定するのが良い。
【００３２】
０．３３＜Ｄ１／ＤＫ＜０．６５    …（１ａ）
０．３８＜Ｄ２／ＤＫ＜０．７２    …（２ａ）
【００３３】
また、よりさらに好ましくは、条件式（１ａ）、（２ａ）の数値範囲を次のように設定するのが良い。
０．３５＜Ｄ１／ＤＫ＜０．６０    …（１ｂ）
０．４０＜Ｄ２／ＤＫ＜０．７０    …（２ｂ）
【００３４】
以上のように本発明によれば、広画角かつ明るいＦナンバーを達成し、かつ良好な結像性能を実現容易な結像光学系を得ることができる。
【００３５】
各実施例において好ましくは次の条件式のうち１つ以上を満足するのが良い。結像光学系Ｌ０の焦点距離をｆ、空気レンズＫ１の焦点距離をｆＫ１とする。空気レンズＫ２の焦点距離をｆＫ２とする。結像光学系Ｌ０のレンズ全長をＤＴ、結像光学系Ｌ０に含まれるレンズ間隔のうち最大のレンズ間隔をｄｍａｘとする。結像光学系Ｌ０のバックフォーカスをＢＫとする。結像光学系Ｌ０のＦナンバーをＦｎｏとする。
【００３６】
レンズＬ１Ａの像側のレンズ面の近軸曲率半径をＲ１Ａ、レンズＬ１Ｂの物体側のレンズ面の近軸曲率半径をＲ１Ｂとする。レンズＬ２Ａの像側のレンズ面の近軸曲率半径をＲ２Ａ、レンズＬ２Ｂの物体側のレンズ面の近軸曲率半径をＲ２Ｂとする。レンズＬ１Ａの物体側のレンズ面からレンズＬ１Ｂの像側のレンズ面までの距離をＤ１ｔ、レンズＬ１Ａの像側のレンズ面からレンズＬ１Ｂの物体側のレンズ面までの距離をＤ１ｄとする。
【００３７】
レンズＬ２Ａの物体側のレンズ面から前記レンズＬ２Ｂの像側のレンズ面までの距離をＤ２ｔ、レンズＬ２Ａの像側のレンズ面から前記レンズＬ２Ｂの物体側のレンズ面までの距離をＤ２ｄとする。ここで、バックフォーカスはレンズ最終面（最も像側のレンズ面）から像面までの距離を空気換算長で表した長さである。レンズ全長はレンズ最前面（第１レンズ面）からレンズ最終面までの光軸上の距離にバックフォーカスを加えた長さである。
【００３８】
空気レンズの焦点距離ｆａは物体側の媒質の屈折率をＮ１、物体側のレンズ面の曲率半径をＲａ、像側の媒質の屈折率をＮ２、像側のレンズ面の曲率半径をＲｂとする。物体側のレンズ面と像側のレンズ面との距離をｄとする。このとき空気レンズの焦点距離ｆａは、
【００３９】
【数１】
2019197095.tif 000003
【００４０】
である。
【００４１】
このとき次の条件式のうち１つ以上を満足するのが良い。
−１．２０＜ｆ／ｆＫ１＜−０．２８            …（３）
−０．６０＜ｆ／ｆＫ２＜−０．１５            …（４）
０．０４＜ｄｍａｘ／ＤＴ＜０．２５            …（５）
０．０２０＜ＢＫ／ＤＴ＜０．１７０            …（６）
０．０８＜ｆ／ＤＴ×Ｆｎｏ＜０．３０          …（７）
０．６５＜Ｄ１／Ｄ２＜１．２０                …（８）
０．０２０＜１／Ｒ１Ａ−１／Ｒ１Ｂ＜０．１１０…（９）
０．０１０＜１／Ｒ２Ａ−１／Ｒ２Ｂ＜０．０６５…（１０）
０．５０＜Ｄ１ｄ／Ｄ１ｔ＜０．９０            …（１１）
０．３０＜Ｄ２ｄ／Ｄ２ｔ＜０．８０            …（１２）
０．０８＜ｆ／ＤＴ＜０．２４                  …（１３）
【００４２】
次に前述の各条件式の技術的意味について説明する。条件式（３）の上限値を超えると、空気レンズＫ１の負の屈折力が弱過ぎ（負の屈折力の絶対値が小さくなりすぎ）、サジタルフレアやコマ収差の補正が不足するため好ましくない。条件式（３）の下限値を超えると、空気レンズＫ１の負の屈折力が強過ぎ（負の屈折力が大きくなりすぎ）、サジタルフレアやコマ収差の補正が過剰となるため好ましくない。
【００４３】
条件式（４）の上限値を超えると、空気レンズＫ２の負の屈折力が弱過ぎ、サジタルフレアやコマ収差の補正が不足するため好ましくない。条件式（４）の下限値を超えると、空気レンズＫ２の負の屈折力が強過ぎ、サジタルフレアやコマ収差の補正が過剰となるため好ましくない。
【００４４】
条件式（５）の上限値を超えると、諸収差の補正が困難となるため好ましくない。条件式（５）の下限値を超えると、結像光学系Ｌ０が大型化するため好ましくない。
【００４５】
条件式（６）の上限値を超えると、バックフォーカスが長過ぎ諸収差の補正が困難となるため好ましくない。条件式（６）の下限値を超えると、結像光学系Ｌ０が大型化するため好ましくない。
【００４６】
条件式（７）の上限値を超えると、広画角化を図りつつ、Ｆナンバーを明るくすることが困難となるため好ましくない。条件式（７）の下限値を超えると、結像光学系Ｌ０が大型化するとともに、諸収差の補正が困難となるため好ましくない。
【００４７】
条件式（８）の上限値を超えると、コマ収差の補正が過剰となるため好ましくない。条件式（８）の下限値を超えると、コマ収差の補正が不足するため好ましくない。
【００４８】
条件式（９）の上限値を超えると、レンズＬ１Ａの像側のレンズ面の曲率が強すぎ、サジタルフレアやコマ収差の発生が増大するため好ましくない。条件式（９）の下限値を超えると、レンズＬ１Ｂの物体側のレンズ面の曲率が強すぎ、サジタルフレアやコマ収差の補正が過剰となるため好ましくない。
【００４９】
条件式（１０）の上限値を超えると、レンズＬ２Ａの像側のレンズ面の曲率が強すぎ、サジタルフレアやコマ収差の補正が過剰となるため好ましくない。条件式（１０）の下限値を超えると、レンズＬ２Ｂの物体側のレンズ面の曲率が強すぎ、サジタルフレアやコマ収差の発生が増大するため好ましくない。
【００５０】
条件式（１１）の上限値を超えて、レンズＬ１ＡとレンズＬ１Ｂとの空気間隔が広過ぎると、サジタルフレアやコマ収差の補正が過剰となるため好ましくない。条件式（１１）の下限値を超えて、レンズＬ１ＡとレンズＬ１Ｂとの空気間隔が狭過ぎると、サジタルフレアやコマ収差の補正が不足するため好ましくない。
【００５１】
条件式（１２）の上限値を超えて、レンズＬ２ＡとレンズＬ２Ｂとの空気間隔が広過ぎると、サジタルフレアやコマ収差の補正が過剰となるため好ましくない。条件式（１２）の下限値を超えて、レンズＬ２ＡとレンズＬ２Ｂとの空気間隔が狭過ぎると、サジタルフレアやコマ収差の補正が不足するため好ましくない。
【００５２】
条件式（１３）の上限値を超えると、結像光学系Ｌ０の広画角化が困難となるため好ましくない。条件式（１３）の下限値を超えると、結像光学系Ｌ０が大型化するため好ましくない。
【００５３】
なお、各実施例において、より好ましくは、条件式（３）乃至（１３）の数値範囲を次のように設定するのが良い。
【００５４】
−１．１０＜ｆ／ｆＫ１＜−０．３０            …（３ａ）
−０．５５＜ｆ／ｆＫ２＜−０．１８            …（４ａ）
０．０５＜ｄｍａｘ／ＤＴ＜０．２０            …（５ａ）
０．０２３＜ＢＫ／ＤＴ＜０．１６０            …（６ａ）
０．０９＜ｆ／ＤＴ×Ｆｎｏ＜０．２８          …（７ａ）
０．６８＜Ｄ１／Ｄ２＜１．１７                …（８ａ）
０．０２５＜１／Ｒ１Ａ−１／Ｒ１Ｂ＜０．１０５…（９ａ）
０．０１５＜１／Ｒ２Ａ−１／Ｒ２Ｂ＜０．０６０…（１０ａ）
０．５３＜Ｄ１ｄ／Ｄ１ｔ＜０．８７            …（１１ａ）
０．３３＜Ｄ２ｄ／Ｄ２ｔ＜０．７７            …（１２ａ）
０．０９＜ｆ／ＤＴ＜０．２３                  …（１３ａ）
【００５５】
また、よりさらに好ましくは、条件式（３ａ）乃至（１３ａ）の数値範囲を次のように設定するのが良い。
−１．００＜ｆ／ｆＫ１＜−０．３３            …（３ｂ）
−０．５０＜ｆ／ｆＫ２＜−０．２０            …（４ｂ）
０．０６＜ｄｍａｘ／ＤＴ＜０．１５            …（５ｂ）
０．０２５＜ＢＫ／ＤＴ＜０．１５０            …（６ｂ）
０．１０＜ｆ／ＤＴ×Ｆｎｏ＜０．２６          …（７ｂ）
０．７０＜Ｄ１／Ｄ２＜１．１５                …（８ｂ）
０．０３０＜１／Ｒ１Ａ−１／Ｒ１Ｂ＜０．１００…（９ｂ）
０．０２０＜１／Ｒ２Ａ−１／Ｒ２Ｂ＜０．０５５…（１０ｂ）
０．５５＜Ｄ１ｄ／Ｄ１ｔ＜０．８５            …（１１ｂ）
０．３５＜Ｄ２ｄ／Ｄ２ｔ＜０．７５            …（１２ｂ）
０．１０＜ｆ／ＤＴ＜０．２２                  …（１３ｂ）
【００５６】
好ましくは、各実施例の結像光学系は、フォーカシングに際して開口絞りＳＴＯよりも像側の少なくとも一部が移動する。本構成とすることにより、被写体距離無限遠から近距離にわたって良好な結像性能を維持したフォーカシングを簡易な構成で行うことができる。
【００５７】
特に、フォーカシングに際してレンズ群ＬＰ１ａの一部のレンズ部ＬＦ１とレンズ群ＬＰ１ｂとレンズ群ＬＮ２が移動することが良い。具体的には、無限遠から近距離へのフォーカシングに際して、レンズ部ＬＦ１は物体側へ移動するとともに、レンズ群ＬＰ１ｂとレンズ群ＬＮ２は一体的に物体側へレンズ部ＬＦ１とは異なった速度で移動することが良い。
【００５８】
各実施例において、レンズＬ２Ｂの像側に正の屈折力のレンズを有しても良い。各実施例において、好ましくは、各実施例の結像光学系Ｌ０は、レンズＬ２Ｂの物体側のレンズ面が負の屈折力を強める、または正の屈折力を弱める非球面形状であるのが良い。このような構成とすると、サジタルフレアやコマ収差の補正を効果的に行うことができる。
【００５９】
また好ましくは、各実施例の結像光学系Ｌ０は、レンズＬ１Ａの物体側のレンズ面が負の屈折力を弱める非球面形状であるのが良い。このような構成とすると、歪曲収差の補正を効果的に行うことができる。また好ましくは、各実施例の結像光学系Ｌ０は、レンズＬ１Ｂが非球面形状のレンズ面を有するのが良い。このような構成とすると、サジタルフレアやコマ収差の補正を効果的に行うことができる。
【００６０】
好ましくは、各実施例の結像光学系Ｌ０は、レンズＬ２Ａが非球面形状のレンズ面を有するのが良い。このような構成とすると、サジタルフレアやコマ収差の補正を効果的に行うことができる。また好ましくは、各実施例の結像光学系Ｌ０は、レンズＬ２Ｂの像側のレンズ面が負の屈折力を弱める、または正の屈折力を強める非球面形状であるのが良い。このような構成とすると、サジタルフレアやコマ収差の補正を効果的に行うことができる。
【００６１】
次に、図１３を参照して、各実施例における撮像光学系を用いたデジタルカメラ（撮像装置）の実施形態について説明する。図１３は、撮像装置の概略図である。
【００６２】
図１３において、２０はデジタルカメラ本体、２１は各実施例の結像光学系（撮像光学系）である。２２はデジタルカメラ本体２０に内蔵され、撮像光学系２１を介して形成された光学像（被写体像）を受光するＣＣＤセンサやＣＭＯＳセンサなどの撮像素子（光電変換素子）である。２３は、撮像素子２２によって光電変換された被写体像に対応する情報を記録する記憶手段（メモリ）、２４は液晶ディスプレイパネルなどにより構成され、撮像素子２２の上に形成された被写体像を観察するための表示素子（ファインダ）である。
【００６３】
次に本発明の各実施例の数値データを示す。各数値データにおいて、ｉは物体側からの面の順序を示す。数値データにおいてｒｉは物体側より順に第ｉ番目のレンズ面の曲率半径である。ｄｉは物体側より順に第ｉ番目のレンズ厚及び空気間隔である。ｎｄｉとνｄｉは各々物体側より順に第ｉ番目の材料のｄ線に対する屈折率、アッベ数である。
【００６４】
非球面形状は光軸方向にＸ軸、光軸と垂直方向にＨ軸、物体側から像側へ向かう方向を正としＲを近軸曲率半径、Ｋを円錐定数、Ａ４，Ａ６，Ａ８，Ａ１０，Ａ１２，Ａ１４を各々非球面係数としたとき、
【００６５】
【数２】
2019197095.tif 000004
【００６６】
なる式で表している。ＢＦは、バックフォーカスである。非球面は面番号の後に＊を付加して示す。各数値データにおける上述した各条件式との対応を表１に示す。
【００６７】
［数値データ１］
単位 mm
面データ
面番号       r        d      nd         νd
1         38.893    3.18   1.92286    18.9           
2         21.727   11.01                             
3*       119.336    2.85   1.49710    81.6           
4*        22.551   13.47                             
5*      -108.567    2.37   1.49710    81.6           
6*        60.174    0.49                             
7         74.083    6.86   2.00100    29.1           
8        -54.761    1.80   1.43875    94.9           
9         83.769    3.38   2.00100    29.1           
10       -543.808  (可変)                             
11        156.186    5.56   1.88300    40.8           
12        -40.168    2.00   1.68948    31.0           
13*        47.899  (可変)                             
14(絞り)    ∞       0.45                             
15         29.886   13.26   1.43875    94.9           
16        -18.900    2.00   1.72825    28.5           
17         51.448    6.16   1.49700    81.5           
18        -58.777    0.12                             
19         38.750    7.36   1.76385    48.5           
20        -58.478    3.13                             
21*       162.968    2.19   1.51633    64.1           
22*        39.409    5.18                             
23*      -269.450    4.01   1.85135    40.1           
24*      -179.412   (可変)                             
25         40.705    3.21   1.69680    55.5           
26         61.871    16.40                             
像面        ∞   
【００６８】
非球面データ
第3面
K  = 0.00000e+000  A 4= 4.71401e-005  A 6=-2.25522e-007 
A 8= 8.27650e-010  A10=-1.73432e-012  A12= 1.80700e-015 
A14=-4.05165e-019  
第4面
K  = 0.00000e+000  A 4= 3.94544e-005  A 6=-2.03603e-007 
A 8= 1.78711e-010  A10= 2.78535e-012  A12=-1.39062e-014 
A14= 2.05785e-017  
第5面
K  = 0.00000e+000  A 4=-6.41969e-005  A 6= 2.85862e-007 
A 8=-9.77863e-010  A10= 1.66582e-012  A12=-9.23479e-016  
第6面
K  = 0.00000e+000  A 4=-5.84382e-005  A 6= 3.05343e-007 
A 8=-1.12131e-009  A10= 2.38812e-012  A12=-2.14093e-015  
第13面
K  = 0.00000e+000  A 4=-9.95505e-007  A 6= 4.30045e-009 
A 8=-4.10090e-011  A10= 1.31362e-013  A12=-3.79812e-016  
第21面
K  = 0.00000e+000  A 4=-3.18676e-005  A 6= 1.88840e-007 
A 8=-2.35704e-010  
第22面
K  = 0.00000e+000  A 4=-4.80686e-005  A 6= 5.97937e-008 
A 8= 4.06022e-010  A10=-2.06028e-012  A12= 4.54883e-015  
第23面
K  = 0.00000e+000  A 4=-3.83169e-005  A 6=-2.45502e-007 
A 8=-3.61706e-010  A10= 9.30200e-012  A12=-1.91848e-014  
第24面
K  = 0.00000e+000  A 4=-5.79710e-006  A 6=-2.24534e-007 
A 8= 1.07782e-009  A10=-7.78751e-014  A12=-3.02044e-015  
【００６９】
各種データ
焦点距離      18.51  
Fナンバー      1.24  
半画角（度）  49.45  
像高          21.64  
レンズ全長   129.00  
BF            16.40  
物体距離無限フォーカス時    物体距離-0.25ｍフォーカス時
d10            6.88                         1.96
d13            5.20                         6.92
d24            0.50                         3.69
第１レンズＧ１              始面  １          終面  ２
レンズ群ＬＮ１              始面  ３          終面  ６
レンズ群ＬＰ１              始面  ７          終面  ２０
レンズ群ＬＮ２              始面  ２１        終面  ２４
第１フォーカスレンズ群      始面  １１        終面  １３
第２フォーカスレンズ群      始面  １４        終面  ２４
【００７０】
［数値データ２］
単位 mm
面データ
面番号       r        d      nd         νd
1         80.397    2.87   1.92286    18.9           
2         27.111    4.79                             
3*       168.427    2.67   1.49710    81.6           
4*        51.269   11.16                             
5*       -23.033    2.39   1.49710    81.6           
6*       -46.631    0.48                             
7        127.016    4.07   2.00100    29.1           
8       -182.454    1.80   1.43875    94.9           
9         49.993    6.31   2.00100    29.1           
10       -133.418  (可変)                             
11         50.823    6.07   1.88300    40.8           
12       -106.904    2.00   1.68948    31.0           
13*        36.088  (可変)                             
14(絞り)    ∞       1.00                             
15        211.919   10.41   1.43875    94.9           
16        -18.256    2.00   1.69895    30.1           
17         37.239    7.70   1.49700    81.5           
18        -63.136    0.14                             
19         77.586    7.81   1.59282    68.6           
20        -40.347    0.47                             
21         40.881    7.14   1.76385    48.5           
22       -272.940    0.99                             
23*     -1069.993    2.09   1.51633    64.1           
24*        34.325    9.43                             
25*      -997.702    3.09   1.85135    40.1           
26*       367.012  (可変)                             
27        203.789    2.41   1.69680    55.5           
28          ∞      13.57                            
像面        ∞   
【００７１】
非球面データ
第3面
K  = 0.00000e+000  A 4= 5.31290e-005  A 6=-1.47874e-007 
A 8= 3.20000e-010  A10=-4.69201e-013  A12= 3.28257e-016  
第4面
K  = 0.00000e+000  A 4= 5.38635e-005  A 6=-1.21591e-007 
A 8= 1.70702e-010  A10=-5.70187e-014  A12=-1.52022e-016  
第5面
K  = 0.00000e+000  A 4= 8.14008e-005  A 6=-2.48950e-007 
A 8= 6.37819e-010  A10=-8.87855e-013  A12= 5.39778e-016  
第6面
K  = 0.00000e+000  A 4= 6.84378e-005  A 6=-2.41798e-007 
A 8= 5.75399e-010  A10=-8.60585e-013  A12= 5.63492e-016  
第13面
K  = 0.00000e+000  A 4= 6.51178e-007  A 6= 1.08783e-008 
A 8=-7.47579e-011  A10= 3.49084e-013  A12=-7.45802e-016  
第23面
K  = 0.00000e+000  A 4= 1.61317e-005  A 6=-1.57696e-008 
A 8= 3.11354e-011  
第24面
K  = 0.00000e+000  A 4= 9.30615e-006  A 6= 2.73100e-009 
A 8= 1.61891e-011  A10=-2.94085e-014  A12= 2.65349e-016  
第25面
K  = 0.00000e+000  A 4=-7.32612e-005  A 6=-3.37587e-009 
A 8=-1.99782e-010  A10= 2.60267e-012  A12=-4.08604e-015  
第26面
K  = 0.00000e+000  A 4=-5.46161e-005  A 6= 8.36816e-009 
A 8= 2.55864e-010  A10= 1.60426e-014  A12=-3.41310e-016  
【００７２】
各種データ
焦点距離      24.59  
Fナンバー      1.24  
半画角（度）  41.35  
像高          21.64  
レンズ全長   129.01  
BF            13.57  
物体距離無限フォーカス時    物体距離-0.25ｍフォーカス時
d10            9.19                        1.99
d13            6.45                        8.72
d26            0.50                        5.44
第１レンズＧ１              始面  １          終面  ２
レンズ群ＬＮ１              始面  ３          終面  ６
レンズ群ＬＰ１              始面  ７          終面  ２２
レンズ群ＬＮ２              始面  ２３        終面  ２６
第１フォーカスレンズ群      始面  １１        終面  １３
第２フォーカスレンズ群      始面  １４        終面  ２６
【００７３】
［数値データ３］
単位 mm
面データ
面番号       r        d      nd         νd
1         46.089    3.36   1.92286    18.9           
2         22.972   12.47                             
3*       110.186    2.96   1.49710    81.6           
4*        22.975   12.81                             
5*      -276.294    2.48   1.49710    81.6           
6*        48.081    0.78                             
7         60.772    8.62   2.00100    29.1           
8        -48.525    1.80   1.43875    94.9           
9         35.947    4.08   2.00100    29.1           
10        103.740  (可変)                             
11         48.674    3.66   1.88300    40.8           
12       -102.702    2.00   1.68948    31.0           
13*        22.902  (可変)                             
14(絞り)    ∞       0.52                             
15         30.893   10.83   1.43875    94.9           
16        -14.550    2.00   1.71736    29.5           
17         29.732    4.79   1.49700    81.5           
18        -93.811    1.39                             
19        155.430    4.93   1.59282    68.6           
20        -48.252    0.47                             
21         54.181    8.76   1.76385    48.5           
22        -45.616    3.16                             
23*        86.516    2.16   1.51633    64.1           
24*        28.490    7.26                             
25*      -387.055    4.01   1.85135    40.1           
26*       -96.838  (可変)                            
27        117.033    3.39   1.60311    60.6           
28          ∞       13.55                            
像面        ∞   
【００７４】
非球面データ
第3面
K  = 0.00000e+000  A 4= 1.63178e-005  A 6=-4.14321e-008 
A 8= 1.71613e-010  A10=-3.58776e-013  A12= 3.24304e-016  
第4面
K  = 0.00000e+000  A 4=-3.78502e-006  A 6=-6.32510e-008 
A 8= 3.85600e-010  A10=-1.19339e-012  A12= 1.07208e-015  
第5面
K  = 0.00000e+000  A 4=-6.86596e-005  A 6= 3.22795e-007 
A 8=-9.62776e-010  A10= 1.40574e-012  A12=-7.06793e-016  
第6面
K  = 0.00000e+000  A 4=-5.58161e-005  A 6= 3.28597e-007 
A 8=-1.11683e-009  A10= 2.04865e-012  A12=-1.51001e-015  
第13面
K  = 0.00000e+000  A 4=-8.58851e-006  A 6= 3.01473e-008 
A 8=-8.29924e-010  A10= 5.32319e-012  A12=-1.74228e-014  
第23面
K  = 0.00000e+000  A 4=-5.70644e-005  A 6= 2.98938e-007 
A 8=-5.42927e-010  
第24面
K  = 0.00000e+000  A 4=-6.57820e-005  A 6= 1.94600e-007 
A 8= 1.40039e-010  A10=-1.25894e-012  A12= 4.18609e-016  
第25面
K  = 0.00000e+000  A 4=-2.25650e-005  A 6=-3.03422e-007 
A 8= 1.29072e-010  A10= 5.18506e-012  A12=-9.38476e-015  
第26面
K  = 0.00000e+000  A 4= 9.21337e-007  A 6=-2.95354e-007 
A 8= 1.06433e-009  A10=-7.77186e-013  A12=-5.86312e-017  
【００７５】
各種データ
焦点距離      16.42  
Fナンバー      1.43  
半画角（度）  52.80  
像高          21.64  
レンズ全長   133.46  
BF            13.55  
物体距離無限フォーカス時    物体距離-0.25ｍフォーカス時
d10            5.15                         1.95
d13            5.56                         6.57
d26            0.50                         2.70
第１レンズＧ１              始面  １          終面  ２
レンズ群ＬＮ１              始面  ３          終面  ６
レンズ群ＬＰ１              始面  ７          終面  ２２
レンズ群ＬＮ２              始面  ２３        終面  ２６
第１フォーカスレンズ群      始面  １１        終面  １３
第２フォーカスレンズ群      始面  １４        終面  ２６
【００７６】
［数値データ４］
単位 mm
面データ
面番号       r        d      nd         νd
1         44.966    3.80   1.92286    18.9           
2         27.696   14.82                             
3*       103.058    3.18   1.49710    81.6           
4*        23.942   18.13                             
5*       -27.771    3.50   1.49710    81.6           
6*       -61.145    0.49                             
7         86.295    5.97   2.00100    29.1           
8       -165.008    1.80   1.43875    94.9           
9         54.964    5.76   2.00100    29.1           
10       -466.289  (可変)                             
11         70.911    6.18   1.88300    40.8           
12        -78.501    2.00   1.68948    31.0           
13*        32.083  (可変)                             
14(絞り)    ∞       0.47                             
15         43.024   12.97   1.43875    94.9           
16        -21.524    2.00   1.71736    29.5           
17         35.868    8.96   1.49700    81.5           
18        -58.285    0.16                             
19         83.753    7.40   1.59282    68.6           
20        -50.144    0.49                             
21         37.404    9.68   1.76385    48.5           
22       -149.786    1.00                             
23*      4261.839    2.29   1.51633    64.1           
24*        33.992   10.02                             
25*     -1172.961    4.02   1.88202    37.2           
26*       406.019  (可変)                             
27        547.176    6.30   2.00100    29.1           
28          ∞       4.99                             
像面        ∞   
【００７７】
非球面データ
第3面
K  = 0.00000e+000  A 4= 7.14585e-006  A 6=-1.88006e-008 
A 8= 4.04433e-011  A10=-3.99020e-014  A12= 2.44077e-017  
第4面
K  = 0.00000e+000  A 4=-6.84727e-007  A 6=-3.82291e-008 
A 8= 7.21546e-011  A10=-1.56248e-013  A12= 1.49302e-016  
第5面
K  = 0.00000e+000  A 4= 2.98822e-005  A 6=-5.80038e-008 
A 8= 7.10595e-011  A10=-3.25337e-015  A12=-1.67234e-017  
第6面
K  = 0.00000e+000  A 4= 2.72059e-005  A 6=-5.37301e-008 
A 8= 6.56340e-011  A10=-4.27598e-015  A12=-4.78716e-017  
第13面
K  = 0.00000e+000  A 4= 6.75810e-007  A 6= 2.68748e-009 
A 8= 2.31640e-012  A10=-8.89463e-015  A12=-6.33557e-017  
第23面
K  = 0.00000e+000  A 4= 9.42662e-006  A 6=-1.12752e-008 
A 8= 1.53457e-011  
第24面
K  = 0.00000e+000  A 4= 8.68127e-006  A 6=-2.52520e-008 
A 8= 1.76591e-010  A10=-6.93503e-013  A12= 8.67589e-016  
第25面
K  = 0.00000e+000  A 4=-7.08891e-005  A 6= 1.27176e-008 
A 8=-9.15890e-010  A10= 6.06588e-012  A12=-8.99233e-015  
第26面
K  = 0.00000e+000  A 4=-4.52245e-005  A 6=-4.13213e-009 
A 8=-9.36490e-012  A10= 1.33152e-012  A12=-2.14092e-015  
【００７８】
各種データ
焦点距離      18.50  
Fナンバー      1.03  
半画角（度）  49.47  
像高          21.64  
レンズ全長   150.00  
BF             4.99  
物体距離無限フォーカス時    物体距離-0.40ｍフォーカス時
d10            5.72                         3.14
d13            7.41                         8.72
d26            0.50                         1.77
第１レンズＧ１              始面  １          終面  ２
レンズ群ＬＮ１              始面  ３          終面  ６
レンズ群ＬＰ１              始面  ７          終面  ２２
レンズ群ＬＮ２              始面  ２３        終面  ２６
第１フォーカスレンズ群      始面  １１        終面  １３
第２フォーカスレンズ群      始面  １４        終面  ２６
前述の各条件式と数値実施例における諸数値の関係を表１に示す
【００７９】
【表１】
2019197095.tif 000005
【符号の説明】
【００８０】
Ｌ０…結像光学系      Ｇ１…レンズ      ＬＮ１…レンズ群      ＬＰ１…レンズ群
ＬＮ２…レンズ群      Ｋ１…空気レンズ      Ｋ２…空気レンズ
ＳＴＯ…開口絞り      ＩＭ…結像面
【図１】
2019197095.tif 000006
【図２】
2019197095.tif 000007
【図３】
2019197095.tif 000008
【図４】
2019197095.tif 000009
【図５】
2019197095.tif 000010
【図６】
2019197095.tif 000011
【図７】
2019197095.tif 000012
【図８】
2019197095.tif 000013
【図９】
2019197095.tif 000014
【図１０】
2019197095.tif 000015
【図１１】
2019197095.tif 000016
【図１２】
2019197095.tif 000017
【図１３】
2019197095.tif 000018